(57)【要約】【課題】遊技盤側でコネクタ接続を解除し忘れた状態で遊技盤が引き出され、あるいは遊技盤とともに前枠が外枠から取り外されても、幕板基板や幕板側コネクタ部材の破損を防止可能な幕板基板取付構造を提供する。【解決手段】中空箱状の幕板アッセンブリ５０の収容空間に、幕板スピーカ６１と幕板側コネクタ部材６５ｃを有する幕板基板６５とが設けられる。基板取付部５５には、幕板側コネクタ部材よりも幾分大きな溝幅で上下に延びる導入凹部５６と、導入凹部の下部に開口するコネクタ挿通窓５７とが形成され、幕板基板６５が基板取付部５５に取り付けられたときに、幕板側コネクタ部材６５ｃは嵌合軸Ｊが上下方向に配向しコネクタ挿通窓５７を通って導入凹部５６内に配設され、ケーブル側コネクタ部材４５ｃが導入凹部内で上方から嵌合接続されるように幕板基板取付構造が構成される。【選択図】図１
2011072590.tif 000002
【特許請求の範囲】
【請求項１】
上下左右の枠板および前面下部を覆う幕板アッセンブリを有し外郭方形状に枠組みされて構成された外枠と、前記外枠にヒンジ連結されて前方に揺動開閉可能に設けられた前枠と、前面に遊技を演出する遊技盤側遊技部品、後面に前記遊技盤側遊技部品を含む遊技部品の作動を制御する制御基板が設けられ前記前枠の上部に着脱可能に取り付けられた遊技盤とを備えた縦型遊技機において、
前記幕板アッセンブリは側断面視中空の箱状に形成され、内部の収容空間に、遊技展開に応じた演出を行うための幕板側遊技部品と、前記制御基板から延びるコネクタケーブルのケーブル側コネクタ部材と嵌脱自在に接続する幕板側コネクタ部材を有し、前記制御基板から出力された制御信号を前記幕板側遊技部品に伝達する幕板基板とが設けられ、
前記幕板アッセンブリの後面側には、前記幕板基板の後方に位置する後方壁面が平断面視において前記幕板側コネクタ部材の幅よりも幾分大きな溝幅で前方に凹設されて上下に延びる導入凹部と、前記導入凹部の下部に嵌合長さよりも幾分大きな高さで開口するコネクタ挿通窓とを備えた基板取付部が形成され、
前記幕板基板が前記基板取付部に取り付けられたときに、前記幕板側コネクタ部材は嵌合軸が上下方向に配向して前記コネクタ挿通窓を通って導入凹部内に配設され、前記ケーブル側コネクタ部材が導入凹部内において上方から前記幕板側コネクタ部材に嵌合接続されるように構成したことを特徴とする縦型遊技機における幕板基板取付構造。
【請求項２】
前記幕板アッセンブリの上部に前記導入凹部を上方から覆う庇部が形成されており、
前記コネクタ挿通窓が形成された前記導入凹部の前方壁面は、前記導入凹部の上部において前記庇部と滑らかに繋がる曲面状に形成されることを特徴とする請求項１に記載の縦型遊技機における幕板基板取付構造。
【請求項３】
前記幕板基板は、ゲル状の緩衝部材を介して前記基板取付部に固定されることを特徴とする請求項１または２に記載の縦型遊技機における幕板基板取付構造。
【発明の詳細な説明】
【技術分野】
【０００１】
本発明は、遊技盤での遊技展開状況に応じた演出を行う遊技部品が幕板に取り付けられた縦型遊技機に関し、なお詳細には、遊技盤側の制御基板から制御信号を受ける幕板基板の取り付け構造に関する。
【背景技術】
【０００２】
パチンコ機や雀球遊技機等の縦型遊技機は、遊技島と称される遊技施設の設置枠台に固定される外枠と、この外枠に対して揺動開閉可能にヒンジ連結された前枠と、前枠に形成された収容枠に着脱可能に収容保持される遊技盤とを備えて構成される。遊技盤の後面側には、当該遊技盤において展開される遊技に応じて遊技機の作動を統括的に制御する主制御基板、主制御基板からの制御指令に基づいて遊技機各部に設けられた電飾装置やスピーカ等の演出用の遊技部品の作動を制御する演出制御基板などが設けられている。
【０００３】
近年の縦型遊技機では、遊技演出の多彩化・多様化が進み、遊技盤の前面を覆うガラス扉や遊技球を貯留する球皿のみならず、前枠の下側に位置する幕板にもスピーカなどの演出用の遊技部品が設けられるようになっている（例えば特許文献１、特許文献２を参照）。生産工程の簡明化や部材管理の容易化のため各部はサブアッセンブリ化されており、例えば、スピーカが組み込まれた幕板アッセンブリの幕板基板と遊技盤側の演出制御基板とが、コネクタケーブルで配線接続されるように構成される。
【先行技術文献】
【特許文献】
【０００４】
【特許文献１】特開２００３−１３５６９０号公報
【特許文献２】特開２００８−２６４４１２号公報
【発明の概要】
【発明が解決しようとする課題】
【０００５】
ここで、いわゆる盤面替えや遊技盤の保守交換を行う際に、遊技盤は遊技施設において前枠から取り外され、新たな遊技盤が装着される。この遊技盤の着脱時には、主制御基板や演出制御基板に接続されていた多数のコネクタケーブルについて接続を解除する必要がある。ところが、これらの基板に接続されるコネクタケーブルは本数が多く、交換作業を急ぐあまり、一部のコネクタについて接続解除を忘れたまま遊技盤の固定を解除し収容枠から引き出してしまうことがある。
【０００６】
そのため、遊技盤とともに引き出されたコネクタケーブルを介して幕板基板に無理な力が作用し、コネクタケーブルや幕板基板に損傷を与えてしまうことがある、という課題があった。特に、幕板基板に実装された幕板側コネクタ部材が破損したり、幕板側コネクタ部材が幕板基板から引き剥がされて脱落したような場合には、サブアッセンブリ化された幕板アッセンブリごと交換しなければならず、時間的にもコスト的にも問題が大きい、という課題があった。また、引き出した遊技盤にも反力が作用するため、作業者が手を滑らせて遊技盤を落下させ、幕板基板のみならず遊技盤にも損傷を与える虞があった。
【０００７】
本発明は上記のような課題に鑑みてなされたものであり、仮に、遊技盤側でコネクタ接続を解除し忘れた状態で遊技盤が引き出され、あるいは遊技盤が装着された状態で前枠が外枠から取り外されても、幕板側コネクタ部材が破損したり脱落したりすることがなく、安全に遊技盤の着脱交換等を行えるような縦型遊技機の幕板基板取付構造を提供することを目的とする。
【課題を解決するための手段】
【０００８】
上記目的を達成するため、本発明は、上下左右の枠板および前面下部を覆う幕板アッセンブリを有し外郭方形状に枠組みされて構成された外枠と、この外枠にヒンジ連結されて前方に揺動開閉可能に設けられた前枠と、前面に遊技を演出する遊技盤側遊技部品、後面に遊技盤側遊技部品を含む遊技部品の作動を制御する制御基板（例えば、実施形態における演出制御基板３５）が設けられ前枠の上部に着脱可能に取り付けられた遊技盤とを備えた縦型遊技機において、前記幕板アッセンブリは側断面視中空の箱状に形成され、内部の収容空間に、遊技展開に応じた演出を行うための幕板側遊技部品（例えば、実施形態における幕板スピーカ６１）と、制御基板から延びるコネクタケーブルのケーブル側コネクタ部材と嵌脱自在に接続する幕板側コネクタ部材を有し制御基板から出力された制御信号を幕板側遊技部品に伝達する幕板基板とが設けられる。幕板アッセンブリの後面側には、幕板基板の後方に位置する後方壁面が平断面視において幕板側コネクタ部材の幅よりも幾分大きな溝幅で前方に凹設されて上下に延びる導入凹部と、導入凹部の下部に嵌合長さよりも幾分大きな高さで開口するコネクタ挿通窓とを備えた基板取付部が形成され、前記幕板基板が基板取付部に取り付けられたときに、幕板側コネクタ部材は嵌合軸が上下方向に配向してコネクタ挿通窓を通って導入凹部内に配設され、前記ケーブル側コネクタ部材が導入凹部内において上方から幕板側コネクタ部材に嵌合接続されるように幕板基板取付構造が構成される。
【０００９】
なお、幕板アッセンブリの上部に導入凹部を上方から覆う庇部が形成され、コネクタ挿通窓が形成された導入凹部の前方壁面は、導入凹部の上部において庇部と滑らかに繋がる曲面状に形成されることが好ましい。また、前記幕板基板は、ゲル状の緩衝部材（例えば、実施形態における緩衝カラー６６）を介して基板取付部に固定されることが好ましい。
【発明の効果】
【００１０】
本発明によれば、幕板側遊技部品および幕板基板が設けられた幕板アッセンブリの後面側に、上下に延びる導入凹部とコネクタ挿通窓とを備えた基板取付部が形成され、幕板基板が基板取付部に取り付けられたときに、幕板側コネクタ部材がコネクタ挿通窓を通って導入凹部内に配設され、ケーブル側コネクタ部材が導入凹部内において上方から幕板側コネクタ部材に嵌合接続されるように構成される。すなわち、遊技盤の制御基板から下方に延びるコネクタケーブルのケーブル側コネクタ部材が、幕板側コネクタ部材の幅よりも幾分大きな溝幅で上下に延びる導入凹部で、上下に延びる嵌合軸に沿って上方から嵌合接続されるように構成される。その為、制御基板側のコネクタ接続を解除せずに遊技盤が引き出された場合に、コネクタケーブルを介して幕板側コネクタ部材に作用する力は、上下に延びる嵌合軸に沿って上方に作用する。従って、作業者が制御基板側のコネクタを外し忘れたまま遊技盤を引き出したとしても、幕板基板や幕板側コネクタ部材が破損したり脱落したりするようなことがなく、安全に遊技盤の着脱交換を行える幕板基板取付構造を提供することができる。
【００１１】
なお、コネクタ挿通窓が形成された導入凹部の前方壁面が導入凹部の上部で庇部と滑らかに繋がる曲面状に形成された構成によれば、幕板側コネクタ部材とケーブル側コネクタ部材との嵌脱作業を円滑に行うことができる。また、幕板側コネクタ部材とケーブル側コネクタ部材とのコネクタ接続部が庇部に覆われて保護されるため、例えば上方から落下する工具や遊技球等の衝突により幕板側コネクタ部材を損傷させるようなことがない。
【００１２】
また、幕板基板がゲル状の緩衝部材を介して基板取付部に固定される構成によれば、コネクタケーブルを介して幕板側コネクタ部材に作用する衝撃力を緩和することができ、作業者が制御基板側のコネクタを外し忘れた状態で遊技盤を引き出したようなときに幕板側コネクタ部材に作用する衝撃力、及び反力として遊技盤に作用する衝撃力を緩和することができ、損傷防止効果および安全性をさらに向上することができる。
【図面の簡単な説明】
【００１３】
【図１】図５中のＩ−Ｉ矢視の断面図であり、基板取付部の側断面図である。
【図２】本発明を適用した縦型遊技機の一例として示すパチンコ機の正面図である。
【図３】上記パチンコ機の背面図である。
【図４】外枠を右斜め前方から見た外観斜視図である
【図５】幕板アッセンブリ単体の背面図である。
【図６】図５中のVI矢視の断面図である。
【発明を実施するための形態】
【００１４】
以下、本発明の好ましい実施形態について図面を参照して説明する。本発明に係る幕板基板取付構造を適用した遊技機の一例として、図２及び図３に、それぞれパチンコ機ＰＭの正面図及び背面図を示しており、まずこれらの図面を参照してパチンコ機ＰＭの概要構成について説明する。なお、以降では、パチンコ機ＰＭを前方から見た正面視における上下左右をもって上下、左右と称し、パチンコ機の前面側を前方、パチンコ機の後面側を後方と称して説明する（図２及び図４に付記する座標系を参照）。
【００１５】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側に配設されたヒンジ機構３ａ，３ｂに支持されて前方に横開き開閉及び着脱が可能に取り付けられ、正面右側に設けられた施錠装置４を利用して外枠１と係合された閉鎖状態に保持される。
【００１６】
前枠２の前面側上部には、前枠２の前面域に合わせた方形状で中央部に複層ガラスが装着されたガラス扉５が正面左側に設けられたヒンジ機構７ａ，７ｂにより前方に横開き開閉および着脱が可能に支持され、正面右側に設けられた施錠装置４により前枠２の前面を覆う閉鎖状態に保持される。ガラス扉５の背後には遊技盤１０を立設姿勢で収容する収容枠が前枠２と一体に成型されており、この収容枠に遊技盤１０が着脱可能に収容保持され、常には閉鎖保持されるガラス扉５の複層ガラスを通して前面の遊技領域を臨ませる。本実施形態では、収容枠が前枠２の前面側に形成され、ガラス扉５を前枠前方に開放した状態で前枠２の前方から遊技盤１０が着脱される遊技盤前方脱着形態のパチンコ機を例示する。
【００１７】
図２では遊技盤１０の記載を省略するが、遊技盤１０の前面側には上下のレール飾りに囲まれて略円形の遊技領域が区画形成され、この遊技領域に多数本の遊技釘とともに風車や各種入賞具、遊技の進行状況に応じて所定の画像が表示される画像表示装置などの遊技盤側遊技部品が取り付けられ、遊技領域の下端部に入賞具に入賞せずに落下した遊技球を遊技盤１０の裏面側に排出させるアウト口が設けられている。
【００１８】
前枠２の下部領域には、球皿ユニット６が正面左側に設けられたヒンジ機構７ｂ，７ｃにより前方に横開き開閉および着脱が可能に支持されるとともに、正面右側に設けられた球皿施錠装置を利用して前枠２の前面を覆う閉鎖状態に保持される。球皿ユニット６に覆われた前枠２の下部領域には遊技補助盤と称される補助機構部が形成されており、この遊技補助盤に、遊技領域に遊技球を発射する遊技球発射装置やファール玉回収通路などが設けられている。前枠２の前面下部には、遊技球の発射操作を行う発射ハンドル８が取り付けられている。
【００１９】
前枠２の裏側に、裏セット盤２０が着脱可能に取り付けられている。裏セット盤２０は、遊技盤１０の背後に位置する上部領域に、前後連通して開口する大型の窓口開口２０ａを有する枠状に形成されており、この窓口開口２０ａの上方に、遊技球を貯留する球貯留タンク２１、及び球貯留タンク２１と繋がってゆるく傾斜するタンクレール２２が設けられ、背面視における窓口開口２０ａの右側に、タンクレール２２により前後各１列の整列状態で導かれた遊技球を遊技盤１０における入賞状態に基づいて払い出す球払出装置２３、球払出装置２３から払い出された遊技球を球皿ユニット６の球皿に導く払出通路などの賞球機構が設けられている。
【００２０】
窓口開口２０ａの下側に位置する裏セット盤の下部領域には、電源基板３１や払出制御基板３２、発射制御基板などの各種制御基板が取り付けられている。遊技盤１０の裏面側には、パチンコ機ＰＭの作動を統括的に制御する主制御基板３４、遊技展開状況に応じてパチンコ機各部の電飾装置やスピーカ等の作動を制御する演出制御基板３５が設けられており、窓口開口２０ａを通って電源基板３１や払出制御基板３２などの上方に並んで配設される。演出制御基板３５は、遊技盤１０の遊技展開状況に応じて主制御基板３４から出力される演出指令信号に基づいて、パチンコ機各部の電飾装置やスピーカ等の作動を制御する。具体的には、遊技盤１０に設けられた画像表示装置や電飾機器などの遊技盤側演出部品、外枠１、ガラス扉５、球皿ユニット６などの各部に設けられた電飾装置やスピーカ等に演出用の遊技部品の作動を制御する。
【００２１】
そして、これらの各回路基板とパチンコ機各部の電気・電子部品がコネクタケーブルで接続され、パチンコ機ＰＭ遊技可能に構成される。パチンコ機ＰＭは、外枠１が遊技施設の遊技島（設置枠台）に固定設置され、前枠２、ガラス扉５、球皿ユニット６等が閉鎖施錠された状態で遊技に供される。
【００２２】
このように概要構成されるパチンコ機ＰＭにあって、図４に、外枠１を右斜め前方から見た外観斜視図を示すように、外枠１は、任意位置を釘打ち固定可能な木製の上枠板１ａ及び下枠板１ｂと、アルミニウム合金等の引き抜き材を用いた左枠板１ｃ及び右枠板１ｄと、左右の枠板間を繋いで前面下部を覆う幕板アッセンブリ５０とを有して構成される。
【００２３】
幕板アッセンブリ５０は、このアッセンブリ単体の背面図を図５に示し、図５中に付記するＩ−Ｉ矢視の側断面図を図１に示すように、後面開放の横長箱状に形成された前方ケース部材５１と、前面開放の横長箱状に形成された後方ケース部材５２とが前後組み合わされて側断面視中空の箱状に形成される。前方ケース部材５１および後方ケース部材５２により囲まれたケース内部の収容空間５３には、遊技盤１０における遊技展開に応じた音声演出を行うための幕板スピーカ６１、幕板スピーカの駆動に応じて従動されるパッシブラジエタ６２、幕板スピーカ６１のスピーカ端子に配線接続され幕板側コネクタ部材６５ｃを介して演出制御基板３５と接続される幕板基板６５などが設けられる。
【００２４】
幕板スピーカ６１が取り付けられるバッフルプレートは、前方ケース部材５１の前方壁面の背後に位置して収容空間５３の内部に設けられており、バッフルプレートに取り付けられた幕板スピーカ６１の前面側に周囲を壁面で囲まれた前方音室が形成される。前方音室は、幕板アッセンブリの正面視において右方に延び、右端側にパンチパネルを介して開口するホーン開口５４に繋がっている。バッフルプレートを挟む幕板スピーカ６１の後面側の収容空間はエンクロージャ（スピーカボックス）を構成し、左右に延びる収容空間により大容積のエンクロージャが形成される。幕板アッセンブリの正面左側には、このエンクロージャ容積に合わせて設定されたパッシブラジエタ（ドロンコーン）６２が設けられており、これにより幕板スピーカ６１単体では十分な音圧レベルでの再生が難しい重低音の再生が可能になっている。幕板スピーカ６１のスピーカコードは、収容空間５３内を通り、後方ケース部材５２の基板取付部５５に取り付けられた幕板基板６５に接続される。
【００２５】
幕板基板６５は、演出制御基板３５から下方に延びるコネクタケーブル４５のケーブル側コネクタ部材４５ｃと嵌脱自在な幕板側コネクタ部材６５ｃを有し、演出制御基板３５から出力される幕板スピーカ駆動信号を幕板スピーカ６１に伝達する中継基板である。
【００２６】
ここで、幕板基板６５が取り付けられる基板取付部５５は、後方ケース部材５２の後方壁面５２ｂが平断面視において幕板側コネクタ部材６５ｃの左右方向幅よりも幾分大きな溝幅、幕板側コネクタ部材６５ｃの前後方向厚さよりも十分大きな溝深さで前方に凹設されて上下に延びる導入凹部５６と、この導入凹部の下部にコネクタの嵌合長さよりも幾分大きめな高さで開口するコネクタ挿通窓５７などを備えて構成される。
【００２７】
後方ケース５２の内面側では、導入凹部５６を挟んで左右各２か所に前方（収容空間内方）に突出するボス５５ｂが形成されており、これらのボス５５ｂに幕板基板６５が支持され固定される。図５中に付記するVI矢視の断面図を図６に示すように、幕板基板６５は、この基板の取付孔に嵌着された高い振動減衰特性を有するゲル状の緩衝カラー６６を介し、この緩衝カラー６６に合わせた所定長さのストリッパボルト（ショルダボルト）６７により、ボス５５ｂに取り付けられる。
【００２８】
幕板基板６５が基板取付部５５に取り付けられると、幕板基板６５の後面が導入凹部５６の前面に密着して配設され、後方に突出する幕板側コネクタ部材６５ｃはコネクタ挿通窓５７を通り嵌合軸Ｊが上方に配向した姿勢で導入凹部５６内に配設される。例えば、幕板側コネクタ部材６５ｃとしてレセプタクルコネクタを用いる場合に、ハウジングが上方に開口して内部のコンタクトピンが上下方向に配向し、ケーブル側コネクタ部材のプラグコネクタ４５ｃが、導入凹部５６内において上方からレセプタクルコネクタ６５ｃに嵌合接続されるように配設される。
【００２９】
このとき、コネクタ挿通窓５７の下端部に幕板側コネクタ部材６５ｃの位置形状に合わせて膨出成型されたコネクタ保護部５８が、幕板側コネクタ部材６５ｃの後方を覆い背面に近接して配設される。また、後方ケース部材５２の上部では、導入凹部５６を上方から覆う庇部５９が形成されるとともに、導入凹部５６の上部には、導入凹部の前方壁面が庇部５９と滑らかに繋がる連続した曲面状の導入部５６ｄが形成されている。
【００３０】
このように構成される幕板基板取付構造では、幕板スピーカ駆動用のコネクタケーブル４５が、遊技盤側の演出制御基板３５から裏セット盤２０の後面側を通って下方に延び、下端のケーブル側コネクタ部材４５ｃが導入凹部５６内で嵌合軸Ｊに沿って上方から幕板側コネクタ部材６５ｃに嵌合接続されて遊技に供される。この遊技提供状態では、ケーブル側コネクタ部材４５ｃと幕板側コネクタ部材６５ｃとが庇部５９で覆われた凹溝状の導入凹部５６内で嵌合接続されている。このため、幕板アッセンブリの上方から工具や遊技球を落下させ、あるいは後方から工具等をぶつけたとしても、ケーブル側、幕板側のコネクタ部材４５ｃ，６５ｃ及び幕板基板６５が保護され、損傷を生じるようなことがない。
【００３１】
一方、遊技盤１０を取り外す際には、まず施錠装置４を解錠操作して前枠２を外枠１の前方に開放し、開放された裏セット盤２０の後面側で、遊技盤側の主制御基板３４と遊技機本体側（前枠２や裏セット盤１０等）の各部とを接続する各種コネクタケーブル、及び演出制御基板３５と遊技機本体側の各部とを接続する各種コネクタケーブルを、コネクタ接続を解除して取り外す。次いで、前枠２の前面側においてガラス扉５を開放し、収容枠に固定されていた遊技盤の固定を解除する。そして、遊技盤の所定位置を把持し遊技盤を前方に取り外す。
【００３２】
このとき、遊技盤側の主制御基板３４及び演出制御基板３５と遊技機本体側の各部とを接続する各種コネクタケーブルの接続が全て解除されていれば、遊技盤１０はそのまま収容枠から遊技機前方に取り外される。しかし、いずれかのコネクタケーブルの接続が解除されていない場合には、接続未解除のコネクタケーブルが遊技盤１０とともに前方に引き出されることになる。
【００３３】
これを、演出制御基板３５と幕板基板６５とを接続するコネクタケーブル４５について見ると、コネクタケーブル４５は、遊技盤１０が前枠前方に引き出されると、窓口開口２０ａの開口部を通る上方のケーブル部分は前方に引き出され、窓口開口２０ａよりも下方のケーブル部分は窓口または払出制御基板３２の角部で屈曲されて上方に引っ張られる。
【００３４】
そのため、コネクタケーブル下端のケーブル側コネクタ部材４５ｃには、このコネクタ部材を上方に引き上げる方向に張力が作用する。しかしながら、当該方向（上下方向）は、ケーブル側コネクタ部材４５ｃと幕板側コネクタ部材６５ｃとの嵌合方向であり、かつ幕板基板６５の基板面に沿った方向である。そのため、幕板基板６５に実装された幕板側コネクタ部材６５ｃに、この幕板側コネクタ部材６５ｃを曲げ起こしたり引き剥がしたりするような無理な力が作用することがない。
【００３５】
また、本基板取付構造では、導入凹部５６の上部に庇部５９が形成され、庇部と滑らかに繋がる連続した曲面状の導入部５６ｄが形成されているため、張力が作用するコネクタケーブルが急激に屈曲されたり角部にこすり付けられたりすることがなく、導入部上端の曲面をなめらかに滑ってケーブルに無理な力が作用することがない。さらに、幕板基板６５がゲル状の緩衝カラー６６を介して基板取付部のボス５５ｂに取り付けられているため、ケーブル側コネクタ部材４５ｃを介して幕板側コネクタ部材６５ｃに作用する急峻な引っ張り力の増大（衝撃力）を吸収し、衝撃応力を大幅に緩和することができる。
【００３６】
従って、以上説明した幕板基板取付構造によれば、作業者が演出制御基板３５側のコネクタを外し忘れたまま遊技盤１０を引き出したとしても、幕板側コネクタ部材６５ｃが破損したり脱落したりするようなことがなく、安全に遊技盤１０の着脱交換を行うことができる。
【００３７】
また、本構成の幕板基板取付構造では、コネクタ挿通窓５７の下端部に幕板側コネクタ部材６５ｃの位置形状に合わせたコネクタ保護部５８が膨出成型され、幕板側コネクタ部材６５ｃの後方を覆って背面に近接して配設される。そのため、仮に、コネクタケーブル４５が後方に引き出されて幕板側コネクタ部材６５ｃを引き起こすような力が作用したとしても、幕板側コネクタ部材６５ｃの背面がコネクタ保護部５８の内面に支持され、引っ張り力はコネクタ保護部５８に受け止められる。すなわち、幕板側コネクタ部材６５ｃや幕板基板６５の損傷防止効果をより高めた構成になっており、遊技盤１０を前枠２の後面側から脱着する遊技盤後方脱着形態の遊技機等にあっても安全に遊技盤１０の着脱交換を行うことができる。
【００３８】
なお、ケーブル側コネクタ部材４５ｃ及び幕板側コネクタ部材６５ｃからなる幕板コネクタは、ケーブル側コネクタ部材４５ｃに所定以上の引っ張り力が作用するとロックが外れるような比較的係止保持力が弱いロック機構付き、またはロック機構をもたないコネクタを用いて構成することが好ましい。このような構成によれば、ケーブル側コネクタ部材４５ｃに、コンタクトの変形や断線が生じ得るような所定以上の引っ張り力が作用したときに、幕板側コネクタ部材６５ｃとの接続が外れるため、幕板側コネクタ部材６５ｃの損傷防止のみならず、ケーブル側コネクタ部材４５ｃのコンタクトの破損や断線をも効果的に抑止することができる。
【００３９】
また、幕板基板６５の後面と導入凹部５６の前面とが密着するコネクタ挿通窓５７の周囲にゲル状緩衝部材のシートあるいはゴムスポンジのパッキン等を挟み込むように構成することも好ましい構成形態である。このような構成によれば、幕板基板の後面に擦過傷を生じさせることがなく、またコネクタ挿通窓５７の開口縁部が隙間なく塞がれるためエンクロージャの密閉性を向上させて音響特性を向上させることができる。
【００４０】
なお、以上では、幕板基板の例として、演出制御基板３５から出力された演出制御信号を幕板スピーカ６１に伝達する構成を例示したが、幕板アッセンブリ５０に設けられる幕板側遊技部品はスピーカに限られるものではなく、例えば、ランプやＬＥＤ、液晶表示装置などの表示装置や、可動遊技部品などであってもよい。また、本発明に係る幕板基板取付構造を、縦型遊技機の代表例としてパチンコ機に適用した構成を例示したが、アレンジボール機や雀球遊技機など、他の遊技機についても同様に適用し、同様の効果を得ることができる。
【符号の説明】
【００４１】
ＰＭ  パチンコ機（縦型遊技機）
Ｊ  嵌合軸
１  外枠（１ａ：上枠板、１ｂ：下枠板、１ｃ：左枠板、１ｄ：右枠板）
２  前枠
１０  遊技盤
２０  裏セット盤
３４  主制御基板
３５  演出制御基板
４５  コネクタケーブル（４５ｃ：ケーブル側コネクタ部材）
５０  幕板アッセンブリ
５１  前方ケース部材
５２  後方ケース部材（５２ｂ：後方壁面）
５３  収容空間
５５  基板取付部（５５ｂ：ボス）
５６  導入凹部（５６ｄ：導入部）
５７  コネクタ挿通窓
５８  コネクタ保護部
５９  庇部
６１  幕板スピーカ
６５  幕板基板（６５ｃ：幕板側コネクタ部材）
６６  緩衝カラー
６７  ストリッパボルト
【図１】
2011072590.tif 000003
【図２】
2011072590.tif 000004
【図３】
2011072590.tif 000005
【図４】
2011072590.tif 000006
【図５】
2011072590.tif 000007
【図６】
2011072590.tif 000008